(57)【要約】【課題】容器内から濾筒を取り外さずに飲料を直接注ぎ出すことができて便利な上、構造が簡素であるためコストが少ない、飲料容器内に設置する濾筒を提供する。【解決手段】飲料容器内に設置する濾筒は、環状部材１、接続部材２及び筒部材３を備える。環状部材１の外周面には、容器の瓶口に位置決めされる位置決め部が設けられる。接続部材２は、環状部材１に接続された複数のブリッジ部１１を頂端に有する。ブリッジ部１１と環状部材１との間には、複数の出口１２が形成される。筒部材３は、複数のフィルター孔３２を有するとともに、接続部材２の底端に接続される。接続部材２は、柱状を呈し、底端が周囲に広がったスカート部２１に成形される。スカート部２１は、ねじ部を介して筒部材３に着脱可能に接続される。スカート部２１の外周には、雄ねじ部２２が設けられる。筒部材３の頂端に設けられた雌ねじ部３３は、雄ねじ部２２に螺接される。【選択図】図１
0003227507.tif 000002
【実用新案登録請求の範囲】
【請求項１】
環状部材、接続部材及び筒部材を備えた、飲料容器内に設置する濾筒であって、
前記環状部材の外周面には、容器の瓶口に位置決めされる位置決め部が設けられ、
前記接続部材は、前記環状部材に接続された複数のブリッジ部を頂端に有し、前記ブリッジ部と前記環状部材との間には、複数の出口が形成され、
前記筒部材は、複数のフィルター孔を有するとともに、前記接続部材の底端に接続されることを特徴とする、飲料容器内に設置する濾筒。
【請求項２】
前記接続部材は、柱状を呈し、底端が周囲に広がったスカート部に成形され、
前記スカート部は、ねじ部を介して前記筒部材に着脱可能に接続されることを特徴とする請求項１に記載の飲料容器内に設置する濾筒。
【請求項３】
前記スカート部の外周には、雄ねじ部が設けられ、
前記筒部材の頂端に設けられた雌ねじ部は、前記雄ねじ部に螺接されることを特徴とする請求項２に記載の飲料容器内に設置する濾筒。
【請求項４】
前記位置決め部は、折れ曲がって外方に突出した弾性片であることを特徴とする請求項１に記載の飲料容器内に設置する濾筒。
【考案の詳細な説明】
【技術分野】
【０００１】
本考案は、飲料抽出用具に関し、特に、飲料容器内に設置する濾筒に関する。
【背景技術】
【０００２】
従来からお茶又はコーヒーを淹れるためのコップ、ボトルなどの製品が市販されている。例えば、図５に示す従来技術は、瓶体５を含む。瓶体５は、開口に蓋５１が設けられる。蓋５１には、瓶内に向かって延びた濾筒５２が接続され、濾筒５２内に収容された茶葉又はコーヒーパウダーが水中に浸漬されるが、濾筒５２と蓋５１とが一体に連続接続されているため、抽出された飲料を注ぎ出す前に、蓋５１及び濾筒５２を一緒に取り外さなければならず、もし取り外した濾筒５２から水滴が垂れて周囲の環境を汚してしまった場合、清掃しなければならず不便であった。
【０００３】
また、図６に示すもう一つの従来の構造は、両端に開口が設けられた瓶体６を含む。下端開口６１は、濾筒６２及び下蓋６３を有する。上端開口６４は、上蓋６５を有する。濾筒６２に茶葉又はコーヒーパウダーを収容して水中に浸漬すると、飲料を淹れることができる。抽出された飲料を注ぎ出すときは、上蓋６５を開くだけで、飲料を上端開口６４から注ぎ出すことができる。この従来の構造は、飲料を容易に注ぎ出すことができるが、２つの開口を有する飲料容器は構造が複雑すぎるため、コストが高く、商業競争力が低かった。
【考案の概要】
【考案が解決しようとする課題】
【０００４】
本考案の主な目的は、容器内から濾筒を取り外さずに飲料を直接注ぎ出すことができて便利な上、構造が簡素であるためコストが少ない、飲料容器内に設置する濾筒を提供することにある。
【課題を解決するための手段】
【０００５】
上記課題を解決するために、本考案の第１の形態によれば、環状部材、接続部材及び筒部材を備えた、飲料容器内に設置する濾筒であって、前記環状部材の外周面には、容器の瓶口に位置決めされる位置決め部が設けられ、前記接続部材は、前記環状部材に接続された複数のブリッジ部を頂端に有し、前記ブリッジ部と前記環状部材との間には、複数の出口が形成され、前記筒部材は、複数のフィルター孔を有するとともに、前記接続部材の底端に接続されることを特徴とする、飲料容器内に設置する濾筒が提供される。
【０００６】
前記接続部材は、柱状を呈し、底端が周囲に広がったスカート部に成形され、前記スカート部は、ねじ部を介して前記筒部材に着脱可能に接続されることが好ましい。
【０００７】
前記スカート部の外周には、雄ねじ部が設けられ、前記筒部材の頂端に設けられた雌ねじ部は、前記雄ねじ部に螺接されることが好ましい。
【０００８】
前記位置決め部は、折れ曲がって外方に突出した弾性片であることが好ましい。
【図面の簡単な説明】
【０００９】
【図１】図１は、本考案の一実施形態に係る飲料容器内に設置する濾筒を示す分解斜視図である。
【図２】図２は、本考案の一実施形態に係る飲料容器内に設置する濾筒を示す分解斜視図である。
【図３】図３は、本考案の一実施形態に係る飲料容器内に設置する濾筒を示す断面図である。
【図４】図４は、本考案の一実施形態に係る飲料容器内に設置する濾筒の使用状態の説明図である。
【図５】図５は、従来の濾筒構造を示す断面図である。
【図６】図６は、もう一つの従来の濾筒構造を示す断面図である。
【考案を実施するための形態】
【００１０】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１１】
図１を参照する。図１に示すように、本考案の一実施形態に係る飲料容器内に設置する濾筒は、少なくとも環状部材１、接続部材２及び筒部材３から構成されてなる。環状部材１は、３つのブリッジ部１１が内側に延設されるとともに、接続部材２の頂端に接続される。ブリッジ部１１及び環状部材１はリング状に囲んで３つの中空状の出口１２が形成される。環状部材１の外周面には、容器の瓶口に位置決めされる４つの位置決め部が設けられる。本実施形態において位置決め部は折れ曲がって外方に突出した弾性片１３である。上述した接続部材２は、柱状を呈し、底端が周囲に広がったスカート部２１に成形される。スカート部２１の外周には、雄ねじ部２２が設けられる。
【００１２】
筒部材３は、茶葉などの抽出物を収容する収容室３１を有し、複数のフィルター孔３２が周面に形成されている。フィルター孔３２は、水が自由に出入りすることができるが、収容室３１から抽出物が漏れ出ないサイズを有する。筒部材３の頂端には、スカート部２１の雄ねじ部２２が螺接される雌ねじ部３３が設けられているため、筒部材３を接続部材２に着脱可能に接続させることができる。
【００１３】
図２及び図３を参照する。図２及び図３に示すように、上述した濾筒は、飲料容器４中に配設させることができる。容器４は、コップ状、ボトル状、筒状などの形状でもよく、その一端に開口端４１が設けられ、上述した濾筒が位置決めされる結合部が内側に設けられている。結合部は、横向きに延びて互いに平行な２つの環状バンプ４２を含む。２つの環状バンプ４２間には、位置決め溝４３が形成されている。上述した濾筒は、環状部材１の弾性片１３が位置決め溝４３に係入されると、容器４中に位置決めされる。
【００１４】
上述した構造により、筒部材３内には、茶葉などの抽出物が収容され、抽出する際に茶葉が収容室３１から漏れ出ないようにしながら、フィルター孔３２をお茶が通過するようにする。容器４からお茶を注ぎ出すとき、開口端４１の蓋を開き、図４に示すように、濾筒を取り外さなくても、容器４を直接傾けるだけで、ブリッジ部１１と環状部材１との間の出口１２からお茶を注ぎ出すことができるため、便利である。本考案は、簡素な構造により、容器４に組み合わせて位置決めさせることができるため、コストが少なく、商業上の競争力が高い。
【符号の説明】
【００１５】
１  環状部材
２  接続部材
３  筒部材
４  容器
５  瓶体
６  瓶体
１１  ブリッジ部
１２  出口
１３  弾性片
２１  スカート部
２２  雄ねじ部
３１  収容室
３２  フィルター孔
３３  雌ねじ部
４１  開口端
４２  環状バンプ
４３  位置決め溝
５１  蓋
５２  濾筒
６１  下端開口
６２  濾筒
６３  下蓋
６４  上端開口
６５  上蓋
【図１】
0003227507.tif 000003
【図２】
0003227507.tif 000004
【図３】
0003227507.tif 000005
【図４】
0003227507.tif 000006
【図５】
0003227507.tif 000007
【図６】
0003227507.tif 000008